(57)【要約】【課題】アンテナを片手で持つことなく、アンテナの取付け及び仰角調整が容易に行うことができるようにする。【解決手段】支柱１０側の第１の部材１に、切り欠き５ａを有する取付け孔５を設け、かつアンテナ２０側の第２の部材２に、切り欠き５ａを通して取付け孔５に挿入されかつこの取付け孔５において回動自在となる軸部３を設け、この軸部３を切り欠き５ａから取付け孔５に配置することで、第１の部材１に対し第２の部材２を回動自在に仮固定し、この回動位置を調整した後、第２の部材２の長孔４に対しボルト１４を締め付けることで、第２の部材２を第１の部材１に固定し、アンテナ２０を任意の仰角に設定する。【選択図】図１
2016015569.tif 000002
【特許請求の範囲】
【請求項１】
支柱側に固定される第１の部材と、アンテナ側に固定される第２の部材とを有し、この第１の部材と第２の部材を接続してなるアンテナ取付け装置において、
上記第１の部材の左右の側面に左右対称に設けられ、上部に開口する切り欠きを有する取付け孔と、
上記第２の部材の左右側面に設けられ、上記切り欠きを通して上記取付け孔に挿入されかつ該取付け孔において回動自在となる軸部と、
上記取付け孔に上記軸部が配置され、上記第１の部材に対する上記第２の部材の回動位置を固定するための固定手段と、を設け、
上記切り欠きからの挿入により上記軸部を上記取付け孔に配置し、上記固定手段で上記第２の部材の回動位置を固定することにより上記アンテナを任意の仰角に設定できることを特徴とするアンテナ取付け装置。
【請求項２】
上記第２の部材として金属板を用い、
上記軸部は、上記第２の部材である金属板の一部から切り起こした板状切片とし、
上記取付け孔は、上記板状切片が配置された際、回転自在な径の円孔としたことを特徴とする請求項１記載のアンテナ取付け装置。
【請求項３】
上記固定手段は、上記第２の部材の左右側面に設けられた円弧状のスライド溝と、上記第１の部材に形成されたねじ孔及びこのねじ孔に螺合するねじ体とからなることを特徴とする請求項１又は２記載のアンテナ取付け装置。
【発明の詳細な説明】
【技術分野】
【０００１】
本発明は、衛星通信や移動通信用のアンテナ取付け装置に関し、特に簡単な取付け及び仰角の調整が容易となる装置の構造に関する。
【背景技術】
【０００２】
下記特許文献１に、従来のアンテナの取付け装置の一例が示されており、この装置は、支柱側に支柱取付筒を介してアンテナ固定片が配置され、アンテナ側にはアンテナ取付部が設けられ、このアンテナ取付部はねじにて支柱側のアンテナ固定片に回転可能に取り付けられ、このアンテナ固定片及びアンテナ取付部には長穴、ねじ等からなる仰角調整部が設けられており、この仰角調整部の所定位置においてねじ締め固定することで、アンテナを所定の仰角位置に調整する構成となっている。
【先行技術文献】
【特許文献】
【０００３】
【特許文献１】実開平３−１０６０７号公報
【発明の概要】
【発明が解決しようとする課題】
【０００４】
しかしながら、上記特許文献１のようなアンテナ取付け装置では、アンテナを片手で持ちながらアンテナ取付部をねじにてアンテナ固定片に軽く（完全に固定しないで）取り付けておき、アンテナの仰角位置を調整した後、仰角調整部のねじ締めを行い、最後に上記アンテナ固定片へのねじ締め固定をもう一度行う必要があり、アンテナの取付け及び仰角調整の作業が容易にできないという問題があった。
【０００５】
本発明は上記問題点に鑑みてなされたものであり、その目的は、アンテナを片手で持つことなく、アンテナの取付け及び仰角調整が容易に行うことができるアンテナ取付け装置を提供することにある。
【課題を解決するための手段】
【０００６】
上記目的を達成するために、請求項１の発明は、支柱側に固定される第１の部材と、アンテナ側に固定される第２の部材とを有し、この第１の部材と第２の部材を接続してなるアンテナ取付け装置において、上記第１の部材の左右の側面に左右対称に設けられ、上部に開口する切り欠きを有する取付け孔と、上記第２の部材の左右側面に設けられ、上記切り欠きを通して上記取付け孔に挿入されかつ該取付け孔において回動自在となる軸部と、上記取付け孔に上記軸部が配置され、上記第１の部材に対する上記第２の部材の回動位置を固定するための固定手段と、を設け、上記切り欠きからの挿入により上記軸部を上記取付け孔に配置し、上記固定手段で上記第２の部材の回動位置を固定することにより上記アンテナを任意の仰角に設定できることを特徴とする。
請求項２の発明は、上記第２の部材として金属板を用い、上記軸部は、上記第２の部材である金属板の一部から切り起こした板状切片とし、上記取付け孔は、上記板状切片が配置された際、回転自在な径の円孔としたことを特徴とする。
請求項３の発明の上記固定手段は、上記第２の部材の左右側面に設けられた円弧状のスライド溝と、上記第１の部材に形成されたねじ孔及びこのねじ孔に螺合するねじ体とからなることを特徴とする。
【０００７】
上記の構成によれば、例えばアンテナ側の第２の部材の板状切片を、上部に開口する切り欠きから取付け孔へ挿入・配置することで、アンテナが支持部側に回動自在に支持される。この状態で、アンテナの仰角位置を調整し、固定手段にて第２の部材を第１の部材に固定することで、アンテナが最適な仰角位置で取り付けられる。
【発明の効果】
【０００８】
本発明のアンテナ取付け装置によれば、第２の部材の板状切片を上部に開口する切り欠きから取付け孔へ配置することで、アンテナを片手で持ちながら取付け作業をする必要はなく、アンテナの仰角調整も容易になるという効果が得られる。
【図面の簡単な説明】
【０００９】
【図１】本発明の実施例に係るアンテナ及びその取付け装置の構成を示す分解斜視図である。
【図２】実施例の取付け装置の構成を示す分解斜視図である。
【図３】実施例の軸部及び取付け孔の構成を示し、図（Ａ）は挿入時の図、図（Ｂ）は回動時の図である。
【図４】実施例の取付け装置の構成を示し、図（Ａ）はアンテナ側を支柱側へ取り付けた時の図、図（Ｂ）は仰角調整時の図である。
【発明を実施するための形態】
【００１０】
図１に、実施例のアンテナとその取付け装置が示され、図２には、取付け装置が示されており、図１に示されるように、第１の部材１は、支柱１０に対しＵ字ボルト１１とナット１２で固定され、第２の部材２は、アンテナ２０にボルト２１等で固定される（この第１の部材１と第２の部材２には、それぞれＵ字ボルト１１、ボルト２１を通す孔が形成される）。
【００１１】
図２に示されるように、第２の部材２は、一枚板（金属板）をコ字状に形成（板金形成）したもので、アンテナ２０に接する面から起立した２つの左右片（翼状片）２ａ，２ｂのそれぞれ（左右対称）に板状切片からなる軸部３と長孔４が設けられる。この左右の軸部３は、左右片２ａ，２ｂの板から切り起こして平板状に形成（内側へ曲げ形成）することにより、対向配置され、先端には上下に突出する係合部３ｆが設けられる。また、長孔４は、軸部３を中心とした円弧状のスライド孔とされる。
【００１２】
一方、第１の部材１にも、一枚の金属板をコ字状として左右片１ａ，１ｂが板金形成され、この左右片１ａ，１ｂは上記左右片２ａ，２ｂの内側へ入る幅とされており、この左右片１ａ，１ｂのそれぞれには（左右対称に）、取付け孔５と、ボルト１４の固定用のねじ孔６が設けられる。この取付け孔５は、上部から下方へ向けて形成された、上記軸部３を通す幅の切り欠き５ａを有し、上記軸部３を回動させる半径を持つ孔に形成される。
【００１３】
図３には、上記の軸部３と取付け孔５の関係が示されており、上記切り欠き５ａは、図３（Ａ）のように、軸部３の板幅より少し大きい幅とされ、また取付け孔５は、図３（Ｂ）のように平板状軸部３の長方形断面の対角線Ｌａの長さ（回動幅）よりも僅かに大きい径（略同一の径）の円孔（丸孔）としており、これにより軸部３によるアンテナ２０の回動において回動中心がずれないようにしている。
【００１４】
また、上記ねじ孔６は、軸部３により第２の部材２が回動するとき、常に上記長孔４が配置される位置に設けられ、第１の部材１に対する第２の部材２の回動位置でボルト１４により螺合・固定ができるようになっている。なお、この第１の部材１の裏側の上下片には、支柱１０の外形に沿った切り欠き部８が形成される。
【００１５】
実施例は以上の構成からなり、アンテナ２０の取付けでは、図２や図４（Ａ）に示されるように、取付け孔５の切り欠き５ａに平板状の軸部３を通しながらこの軸部３を取付け孔５に挿入することにより、アンテナ２０側の第２の部材２が支柱１０側の第１の部材１に配置される。このとき、軸部３の係合部３ｆが支柱１０側の左右片１ａ，１ｂの内側面に係合することで、第２の部材２の左右の移動が制限される。
このようにして、アンテナ２０は支柱１０にぶら下げられる形で仮固定され、軸部３が取付け孔５内を回動できる状態となるので、従来のように、片手でアンテナ２０を持ちながら取付け作業をする必要はない。
【００１６】
そして、図４（Ｂ）に示されるように、アンテナ２０側の第２の部材２を傾けながら取付け孔５内の軸部３を中心として回動させると、円弧状の長孔４が固定点のボルト１４に対して摺動することになり、アンテナ２０の仰角が最適となる位置でボルト１４をねじ孔６に締め付けると、第２の部材２が第１の部材１に、そしてアンテナ２０が支柱１０に固定される。
このように、実施例では、アンテナを片手で持ちながらねじ締めの作業をすることもなく、アンテナの取付け及び仰角調整が容易となる。
【００１７】
また、上述のように、軸部３として、従来のような滑りの良い丸棒状の軸体でなく、角のある滑りの悪い平板状の軸体を採用しているため、摩擦が多く、かえってアンテナ固定後の角度ずれが抑制されるという利点もある。実施例の軸部３の断面は長方形となるが、正方形に近い形状や六角形等の断面形状となる軸部を採用してもよく、また上記軸部３は、左右片２ａ，２ｂのそれぞれに配置したが、左右片２ａ，２ｂの間において２つの軸部３を連結して１つにした棒状の軸部とすることもできる。
【００１８】
更に、第１の部材１と第２の部材２の固定手段として、長孔４の代わりに多数の小孔を開けておき、この小孔に、ボルト１４を締め付けたり、棒状部材を配置したりして固定する手段等を設けることも可能である。
【符号の説明】
【００１９】
１…第１の部材、      １ａ，１ｂ…左右片、
２…第２の部材、      ２ａ，２ｂ…左右片、
３…軸部、            ３ｆ…係合部、
４…長孔、            ５…取付け孔、
５ａ…切り欠き、      ６…ねじ孔、
１０…支柱、          ２０…アンテナ。
【図１】
2016015569.tif 000003
【図２】
2016015569.tif 000004
【図３】
2016015569.tif 000005
【図４】
2016015569.tif 000006